(57)【要約】【課題】本発明は、肉眼では表示を見ることのできない表示装置、およびこの装置とその表示を視認するカメラとを用いた表示システムを提供することを目的とする。【解決手段】電光掲示板１は、複数の赤外線発光ダイオード２をマトリクス状に配置して構成され、赤外線発光ダイオード２を選択発光させて画像や文字などの像を赤外線で表示させる。この表示は、赤外線カメラ３で撮像して表示パネル４に映し出されることで視認することができる。【選択図】図１
2010181657.tif 000002
【特許請求の範囲】
【請求項１】
画像や文字の像の少なくとも一部が、赤外線で表示部に表示されることを特徴とする表示装置。
【請求項２】
前記表示部が、複数の赤外線発光素子をマトリクス状に配置して構成され、当該赤外線発光素子を選択発光させて前記像を赤外線で表示させることを特徴とする請求項１に記載の表示装置。
【請求項３】
前記複数の赤外線発光素子の各々と対になるように隣接させて複数の可視光発光素子を備え、当該可視光発光素子の選択発光によって画像や文字の像を可視光で表示させることを特徴とする請求項２に記載の表示装置。
【請求項４】
前記表示部が、マトリクス状に配置した複数の赤外線発光素子と、当該複数の赤外線発光素子の各々と対になるように隣接させて配置した複数の可視光発光素子とを備え、当該赤外線発光素子の選択発光および当該可視光発光素子の選択発光によって画像や文字の像を赤外線および可視光を組み合わせて表示させることを特徴とする請求項１に記載の表示装置。
【請求項５】
前記赤外線発光素子が、赤外線発光ダイオードであることを特徴とする請求項２から４のいずれかに記載の表示装置。
【請求項６】
前記請求項１から請求項５のいずれかに記載の表示装置と、当該表示装置に赤外線で表示される前記像を撮像して視認可能な像を表示する赤外線カメラと、によって構成されることを特徴とする表示システム。
【請求項７】
前記赤外線カメラは、前記赤外線の他に可視光で表示される前記像も合わせて撮像して視認可能な像を表示するカメラであることを特徴とする請求項６に記載の表示システム。
【発明の詳細な説明】
【技術分野】
【０００１】
本発明は、肉眼で表示を見ることのできない表示装置、およびこの装置の表示をカメラを用いて視認する表示システムに関するものである。
【背景技術】
【０００２】
公の場にあらゆる情報が表示されている。看板、明るい光を用いた電光掲示板等が町中にあふれている。このような電光掲示板等に用いられる表示装置として、発光ダイオードをマトリクス状に配置したものが特許文献１に開示されている。
【０００３】
このような表示は、主に宣伝用で、見てもらうために目を引くように設計されている。明るい光、点滅、色、大きい文字、画像等、様々な方法で目を引こうとする。
【０００４】
しかし、点滅等で目を引くような表示装置は、逆に考えれば町の風景を害している。このような表示は、見たくない人の目にも入ってくる。また、風景を大事にしたい町はこのような表示を制限せざるを得ないため、店舗を営んでいる人に経済的な損害を与える可能性がある。
【０００５】
また、特定の人だけに情報を公開したい場合は、だれにでも見えるような表示装置は不適切である。例えば、会員だけに特別な情報を伝える場合、各会員宛にメールを送る方法があるが、手間とコストがかかる。
【先行技術文献】
【特許文献】
【０００６】
【特許文献１】特開２００８−２６８２７９号公報
【発明の概要】
【発明が解決しようとする課題】
【０００７】
解決しようとする問題点は、町の風景を害する表示を見たくない人も見えてしまう点である。また、特定の人にしか見せたくない表示を公の場で表示できない点である。
【０００８】
本発明は、肉眼では表示を見ることのできない表示装置、およびこの装置とその表示を視認するカメラとを用いた表示システムを提供することを目的とする。
【課題を解決するための手段】
【０００９】
前記の目的を達成するためになされた特許請求の範囲の請求項１に記載の表示装置は、画像や文字の像の少なくとも一部が、赤外線で表示部に表示されることを特徴とする。
【００１０】
請求項２に記載の表示装置は、請求項１に記載されたもので、前記表示部が、複数の赤外線発光素子をマトリクス状に配置して構成され、当該赤外線発光素子を選択発光させて前記像を赤外線で表示させることを特徴とする。
【００１１】
請求項３に記載の表示装置は、請求項２に記載されたもので、前記複数の赤外線発光素子の各々と対になるように隣接させて複数の可視光発光素子を備え、当該可視光発光素子の選択発光によって画像や文字の像を可視光で表示させることを特徴とする。
【００１２】
請求項４に記載の表示装置は、請求項１に記載されたもので、前記表示部が、マトリクス状に配置した複数の赤外線発光素子と、当該複数の赤外線発光素子の各々と対になるように隣接させて配置した複数の可視光発光素子とを備え、当該赤外線発光素子の選択発光および当該可視光発光素子の選択発光によって画像や文字の像を赤外線および可視光を組み合わせて表示させることを特徴とする。
【００１３】
請求項５に記載の表示装置は、請求項２から４のいずれかに記載されたもので、前記赤外線発光素子が、赤外線発光ダイオードであることを特徴とする。
【００１４】
請求項６に記載の表示システムは、前記請求項１から請求項５のいずれかに記載の表示装置と、当該表示装置に赤外線で表示される前記像を撮像して視認可能な像を表示するカメラと、によって構成されることを特徴とする。
【００１５】
請求項７に記載の表示システムは、請求項６に記載されたもので、前記カメラは、前記赤外線の他に可視光で表示される前記像も撮像して視認可能な像を表示するカメラであることを特徴とする。
【発明の効果】
【００１６】
本発明の表示装置によれば、画像や文字などの像を赤外線で表示部に表示させることにより、この像が肉眼で見えないので、町の風景を害さないで像を表示することができる。また、特定の人にしか見せたくない表示を公の場で表示することもできる。
【００１７】
また、本発明の表示装置では、複数の赤外線発光素子をマトリクス状に配置して、この赤外線発光素子の発光によって像を赤外線で表示させる。この構成は、特許文献１に開示されたような従来の表示装置の発光素子を赤外線発光素子に交換するだけで実現可能なため、簡便に製造することができる。
【００１８】
また、本発明の表示装置によれば、複数の赤外線発光素子の各々と対になるように隣接させて複数の可視光発光素子を備え、この可視光発光素子の発光によって画像などの像を可視光で表示させることにより、１つの表示装置で、赤外線によって像を表示させたり、可視光によって像を表示させたりすることができる。また赤外線と可視光とによって同時に表示させることもできる。表示させる像は同じであってもよいし、異なるものであってもよく、任意である。
【００１９】
また、本発明の表示装置によれば、表示部が、マトリクス状に配置した複数の赤外線発光素子と、この複数の赤外線発光素子の各々と対になるように隣接させて配置した複数の可視光発光素子とを備え、赤外線発光素子の選択発光および可視光発光素子の選択発光によって画像や文字の像を赤外線および可視光を組み合わせて表示させることにより、肉眼では表示された像のうちの一部分しか視認することができない。したがって、特定の人にしか見せたくない表示を公の場で表示することができる。
【００２０】
また、本発明の表示装置によれば、前記赤外線発光素子が、赤外線発光ダイオードであることにより、低消費電力、省スペース、および長寿命な装置とすることができる。
【００２１】
また、本発明の表示システムによれば、前記表示装置と、表示装置に赤外線で表示される像を撮像して視認可視な像を表示する赤外線カメラとを用いることにより、肉眼では見えない像を視認することができる。
【００２２】
また、本発明の表示システムによれば、赤外線カメラは、赤外線の他に可視光で表示される前記像も合わせて撮像して視認可能な像を表示するカメラであることにより、表示装置に赤外線および可視光を組み合わせて表示される像を視認することができる。
【図面の簡単な説明】
【００２３】
【図１】本発明の表示装置および表示システムの使用状態を示す概要図である。
【図２】本発明の表示装置の別の実施形態を説明する概要図である。
【図３】本発明の表示装置のさらに別の実施形態を説明する概要図である。
【発明を実施するための形態】
【００２４】
以下に、本発明を実施するための好ましい形態を詳細に説明するが、本発明の範囲はこれらの形態に限定されるものではない。
【００２５】
図１には、本発明を適用する表示装置の一実施形態である電光掲示板１、および本発明を適用する表示システムに用いる赤外線カメラ３が示されている。
【００２６】
同図に示される電光掲示板１は、複数の赤外線発光ダイオード２を縦横にマトリクス状に配置して構成された表示部を備えている。
【００２７】
赤外線発光ダイオード２は、本発明の赤外線発光素子に相当し、肉眼では視認することのできない赤外線を発光するものである。この赤外線発光ダイオード２，２・・・の各々を点灯／消灯制御して選択的に発光させることで、画像や文字、記号などの像が赤外線で電光掲示板１に表示される。
【００２８】
赤外線カメラ３は、赤外線で撮像した像を、一例として液晶パネルなどで構成される表示パネル４に、視認可能な像として表示するものである。この赤外線カメラ３は、赤外線を撮像可能なものであれば、可視光を遮断して赤外線だけを撮像するものであってもよいし、可視光と共に赤外線を撮像するものであってもよい。例えば、市販されているビデオカメラやディジタルカメラ、カメラ付き携帯電話などには、可視光と共に赤外線で撮像可能なものがあるので、これらを赤外線カメラ３として用いることができる。
【００２９】
電光掲示板１に表示される像は、肉眼では視認することができない。図１に示されるように、電光掲示板１に、例えば「Ｔ」という文字を表示しても肉眼で視認できないが、赤外線カメラ３の表示パネル４には、表示された像（この場合「Ｔ」の文字）が表示されて視認することができる。
【００３０】
次に、本発明を適用する表示装置の別の実施形態である電光掲示板１ａについて、図２を参照しつつ説明する。なお、すでに説明した構成については同様の符号を付して説明を省略する。
【００３１】
同図に示される電光掲示板１ａは、上記で説明した電光掲示板１に、可視光の電光掲示板の機能を組み合わせたものである。具体的には、電光掲示板１ａは、複数の赤外線発光ダイオード２の各々と対になるように隣接させて複数の可視光発光ダイオード６を配置して、表示部が構成されている。この可視光発光ダイオード６は、本発明の可視光発光素子に相当し、肉眼では視認可能な光を発光するものであり、その発光色は特に限定されず、赤色、青色、黄色などの単色で発光するものであってもよいし、２色、または３色を発光するものであってもよい。また、白色で発光するものであってもよい。この可視光発光ダイオード６，６・・・の各々を点灯／消灯制御して選択的に発光させることで、画像や文字などの像が可視光で電光掲示板１ａに表示される。赤外線発光ダイオード２，２・・・と可視光発光ダイオード６，６・・・とは、独立して点灯／消灯制御可能に構成されている。したがって、この電光掲示板１ａでは、赤外線による像と可視光による像とを独立して表示することができる。
【００３２】
この電光掲示板１ａでは、必要に応じて、可視光による電光掲示板としたり、赤外線による電光掲示板としたりすることができる。また、電光掲示板１ａに可視光で表示させつつ、可視光とは異なる像を赤外線で表示させることもできる。赤外線と可視光とで同時に表示させている場合、赤外線像を見るためには、赤外線カメラ３は、可視光を撮像せず、赤外線だけを撮像できるものであることが好ましい。
【００３３】
また、電光掲示板１ａの構成を用いて、像を赤外線発光ダイオード２，２・・・および可視光発光ダイオード６，６・・・をそれぞれ選択発光させて、１種の像を赤外線および可視光を組み合わせて表示させることもできる。例えば「Ｔ」の文字を表示させる場合、「Ｔ」の横棒を赤外線で表示すると共に、「Ｔ」の縦棒を可視光で表示させる。この場合、表示させた像を見るためには、赤外線および可視光の両方で撮像可能な赤外線カメラ３を用いる必要がある。
【００３４】
なお、赤外線発光素子として、安価であり入手も容易な赤外線発光ダイオードを用いた例について説明したが、これに限定されない。例えば可視光および赤外線を発生する蛍光灯や白熱灯に、可視光帯域を阻止して赤外線を透過するフィルタを組み合わせて用いることもできる。また可視光発光素子として可視光発光ダイオードを用いた例について説明したが、蛍光灯や白熱灯を用いることもできる。
【００３５】
また、電光掲示板の例について説明したが、画像や文字を可変させる必要がなく固定表示でよい場合には、図３に示されるように、赤外線を透過しない覆い板１０に、固定表示の形（この例では星型）の赤外線透光窓１１を表示部として設け、その内側から赤外線発光ダイオード２で照射する構成とすることもできる。この場合、赤外線透光窓１１の形状の像が赤外線で表示される。
【００３６】
なお、この場合でも、固定表示の一部を赤外線で表示して、残りの固定表示を可視光で表示させることもできる。固定表示は、画像であってもよく、複数の文字や記号であってもよい。
【符号の説明】
【００３７】
１，１ａは電光掲示板、２は赤外線発光ダイオード、３は赤外線カメラ、４は表示パネル、６は可視光発光ダイオード、１０は覆い板、１１は赤外線透光窓である。
【図１】
2010181657.tif 000003
【図２】
2010181657.tif 000004
【図３】
2010181657.tif 000005